(57)【要約】【課題】従来の既設のマンホールに於ては、台風が来たり、大雨が降りつけたりすると、マンホールの鉄蓋が浮上或は飛散する事故があった。本発明はこの問題を効率良く解決することを目的とする。【解決手段】既設マンホール１の上部の周りの舗装２を切除し、該既設マンホール１の斜壁管３及び蓋受枠４を撤去し、その後のマンホール躯体本体７上に上縁２２の上表面２２ａにインサートアンカー２７が内側から外側に向って三重に埋設されている巾広の斜壁管２１を設置し、今迄撤去されていた蓋受枠４（或は２３、３４、３５のいずれか）を該斜壁管２１上に載置し、ボルト２８を介して蓋受枠４を斜壁管２１に強固にボルト止めし、斜壁管２１及び蓋受枠４の周りに舗装３３を埋戻して施工する既設マンホールの改修施工法である。【選択図】　　　　図１
2004143792.tif 000002
【特許請求の範囲】
【請求項１】
鉄蓋が浮上或は飛散する事故を防止するための既設マンホールの改良施工法に於て、既設マンホールの上部の周りの舗装を切断して除去すると共に既設マンホールの斜壁管及び蓋受枠を夫々撤去し、その後に上縁上表面にインサートアンカーが埋設されている斜壁管を設置し、該斜壁管の上縁上に一旦撤去されていた蓋受枠を載置し、かつ該蓋受枠をボルトを介して斜壁管に取付固定し、さらに該斜壁管及び蓋受枠の周りを埋戻して施工することを特徴とした既設マンホールの改修施工法。
【請求項２】
前記改修施工に当って、上縁上表面が巾広に形成されかつ該上縁上表面に内側から外側に向けて複数のインサートアンカーが配置埋設された構造を有する斜壁管を用いて施工したことを特徴とした請求項１の既設マンホールの改修施工法。
【請求項３】
前記斜壁管の下部内壁に複数のインサートアンカーを埋設し、該インサートアンカーと傾斜長穴を有する緊結プレートと及びボルトとを介して該斜壁管を既設マンホール躯体本体に緊結したことを特徴とした請求項１或は請求項２の既設マンホールの改修施工法。
【請求項４】
既設マンホールの各コンクリート直壁管の内周面の継手部の上下に夫々棒状ゴムを所定の間隔を保ってリング状に配置し、かつ両者の棒状ゴム間にプライマと弾性シーリング材とを順に塗布して各コンクリート管の継ぎ目を止水構造に構成したことを特徴とした請求項１乃至請求項３の既設マンホールの改修施工法。
【発明の詳細な説明】
【０００１】
【発明の属する技術分野】
本発明は既設のマンホールを改修する施工法に係り、特に既設のマンホールの斜壁管を特定の構造を有する斜壁管に交換し、かつ交換された斜壁管にボルトを介して蓋受枠を強固に取付固定することによって蓋受枠及びこの蓋受枠に被蓋された鉄蓋が浮上或は飛散することを防止可能とした既設マンホールの改修施工法に関するものである。
【０００２】
【従来の技術】
従来の既設のマンホールの内の古い形式のものは、マンホール躯体本体上に設置された斜壁管の上縁に、鉄蓋を支持する蓋受枠を載置し、斜壁管と蓋受枠との周りにモルタルや調整コンクリートを充填することによって蓋受枠を斜壁管に取付固定していた。
【０００３】
蓋受枠はその上に鉄蓋が被蓋されるので、相当の重量となり、そのために蓋受枠をボルト等を介して斜壁管に強固に締結しなくも、蓋受枠を斜壁管に安定した状態で設置することが可能であった。
【０００４】
【発明が解決しようとする課題】
しかし、近年になって都市の舗装が促進され、かつ緑地が宅地化されるようになって来ると、下水道に大量の雨水が流入し、前述のように蓋受枠をボルトを介して斜壁管に強固に連結していない場合には、マンホールの蓋受枠及び鉄蓋が浮上したり、或は飛散する事故が発生する等の問題があった。
【０００５】
従って、この問題を解決するためには、従来使用されていた斜壁管を撤去し、その代りに蓋受枠をボルト止めすることが可能な新しい構造の斜壁管に交換しなければならない問題があった。それと同時に新しく設置した斜壁管を既設のマンホール躯体本体に強固に緊結したり、或は既設のマンホール躯対本体を構成する複数の直壁管を相互に緊結してマンホール全体を堅固にし、さらにこれ等の斜壁管及び直壁管相互の継ぎ目を止水構造にしなければならなかった。
【０００６】
また、マンホールを新設する場合には、予め使用される蓋受枠が決定されているので、この蓋受枠に合わせた寸法を持った斜壁管を使用することには問題がないが、既設のマンホールを改良するために使用される斜壁管は、既設のマンホールに取付けられていた寸法やボルトの取付固定位置の異なる種々の蓋受枠に夫々対応させなければならないので、これ等を全て解決するためには多くの問題があった。
【０００７】
本発明に係る既設マンホールの改修施工法は、前述の多くの問題点に鑑み開発された全く新しい技術であって、特に既設マンホールの上部の周りの舗装を切断して除去すると共に、既設マンホールの斜壁管を新しい構造の斜壁管に交換し、一旦撤去されていた蓋受枠を新しい斜壁管に載置し、両者をボルト止めし、かつ必要に応じて新しい斜壁管を既設マンホール躯体本体に緊結し、さらに斜壁管及び蓋受枠の周りを埋戻して施工するようにした既設マンホールの改修施工法の技術を提供するものである。
【０００８】
【課題を解決するための手段】
本発明に係る既設マンホールの改修施工法は、前述の多くの問題点を根本的に改善した技術であって、その第１発明の要旨は、鉄蓋が浮上或は飛散する事故を防止するための既設マンホールの改良施工法に於て、既設マンホールの上部の周りの舗装を切断して除去すると共に既設マンホールの斜壁管及び蓋受枠を夫々撤去し、その後に上縁上表面にインサートアンカーが埋設されている斜壁管を設置し、該斜壁管の上縁上に一旦撤去されていた蓋受枠を載置し、かつ該蓋受枠をボルトを介して斜壁管に取付固定し、さらに該斜壁管及び蓋受枠の周りを埋戻して施工することを特徴とした既設マンホールの改修施工法である。
【０００９】
前述の第１発明に於ては、既設マンホールの上部の周りの舗装を切除して斜壁管及び蓋受枠を夫々撤去し、その後に上縁上表面にインサートアンカーが設けられている新しい斜壁管を設置したので、該斜壁管上に載置された一旦撤去されていた蓋受枠は、前記インサートアンカーを利用することによって、ボルトを介して前記斜壁管に強固に締結することが出来、これによって蓋受枠及びこの蓋受枠に被蓋された鉄蓋が浮上或は飛散することを防止出来る。
【００１０】
本発明に係る既設マンホールの改修施工法の第２発明の要旨は、前記改修施工に当って、上縁上表面が巾広に形成されかつ該上縁上表面に内側から外側に向けて複数のインサートアンカーが配置埋設された構造を有する斜壁管を用いて施工したことを特徴とした第１発明の既設マンホールの改修施工法である。
【００１１】
この第２発明に於ては、前述の如く、上縁上表面に複数のインサートアンカーが内側から外側に向けて埋設された特定の構造を持った斜壁管を用いて施工するので、既設のマンホールに使用されていた蓋受枠の外径寸法が異なったり或はボルト孔の位置が異なっていた場合にも、これ等の多様な蓋受枠にも単種類の斜壁管で対応させて、これ等の異なる種類の蓋受枠を夫々斜壁管に強固にボルト止めすることが出来る。
【００１２】
本発明に係る既設マンホールの改修施工法の第３発明の要旨は、前記斜壁管の下部内壁に複数のインサートアンカーを埋設し、該インサートアンカーと傾斜長穴を有する緊結プレートと及びボルトとを介して該斜壁管を既設マンホール躯体本体に緊結したことを特徴とした第１発明或は第２発明の既設マンホールの改修施工法である。
【００１３】
前述の第３発明に於ては、前記斜壁管の下部内壁に複数のインサートアンカーを埋設したので、このインサートアンカーを使用することによって、斜壁管を既設のマンホール躯体本体に緊結することが出来る。また、この緊結の際に、傾斜長穴を有する緊結プレートを使用した場合には、斜壁管をマンホール躯体本体により密着せしめた状態で緊結固定することが出来る。
【００１４】
本発明に係る既設マンホールの改修施工法の第４発明の要旨は、既設マンホールの各コンクリート直壁管の内周面の継手部の上下に夫々棒状ゴムを所定の間隔を保ってリング状に配置し、かつ両者の棒状ゴム間にプライマと弾性シーリング材とを順に塗布して各コンクリート管の継ぎ目を止水構造に構成したことを特徴とした請求項１乃至請求項３の既設マンホールの改修施工法である。
【００１５】
前述の第４発明に於ては、既設マンホールの各コンクリート直壁管の内周面の継手部の上下に夫々棒状ゴムをリング状に配置したので、棒状ゴムで枠を形成することが出来る。そしてこの枠内にプライマと弾性シーリング材とを順に塗布したので、継ぎ目上に肉厚の止水帯を形成することが出来、これによってマンホール躯体本体の漏水を防止することが出来る。
【００１６】
【発明の実施の形態】
図により本発明に係る既設マンホールの改修施工法の一実施例を具体的に説明すると、図１は本発明に係る改修施工法を完了した後のマンホール要部の縦断面図、図２は既設のマンホールの斜壁管、蓋受枠及び鉄蓋を撤去する状態の縦断面図、図３はマンホール躯体本体内に落下防止用ネットと作業用踊場を設ける状態の説明図ある。
【００１７】
図４はマンホール躯体本体内の直壁管の継ぎ目を止水構造にする状態の説明図、図５は本発明の施工法に使用される斜壁管の説明図、図６は既設マンホールに使用されている蓋受枠と鉄蓋との数例を示す平面図、図７は図５の斜壁管に種類の異なる蓋受枠をボルト止めした状態の断面説明図、図８はマンホール躯体本体と斜壁管との接合状態を示す要部の説明図である。
【００１８】
図１乃至図８に於て、本発明に係る既設マンホールの改修施工法の一実施例を具体的に説明すると次の通りである。本発明に於ては、先ず図２に示す如く、既設のマンホール１の上部の周りの舗装２を切断して、舗装２及び土砂を除去する。その後で既設のマンホール１の上部に設置されていた斜壁管３、蓋受枠４及び鉄蓋５をクレーン６を介して撤去する。
【００１９】
前述のように斜壁管３が撤去された後の既設マンホール１の直壁管或は現場打コンクリートで形成されるマンホール躯体本体７内の内壁所定位置に、図３に示す如く、ハンマードリル８を介して穴９を穿設し、その穴９内にアンカー１０を打ち込み、更にこのアンカー１０を利用して落下防止用ネット１１を取付ける。さらにマンホール躯体本体７の内周壁の上部に作業用の踊場１２を設置する。
【００２０】
次に図１に示す如く、マンホール躯体本体７を構成する複数の直壁管の夫々を緊結プレート１３と緊結ボルト１４とを介して相互に緊結する。該緊結プレート１３の上部には特に拡大図で明らかな如く傾斜長穴１５が穿設されている。
【００２１】
従って、この傾斜長穴１５に緊結ボルト１４を挿入して、緊結ボルト１４で緊結プレート１３を軽く締め付けた後で、緊結ボルト１４の周りの緊結プレート１３を傾斜長穴１５に沿って移動させることによって、各直壁管の隙間を無くして相互に密接させ、その後で緊結ボルト１４を強く締め付けることによってマンホール躯体本体７を強固に構成することが出来る。
【００２２】
その後、図４に示す如く、マンホール躯体本体７の各直壁管の内周壁に設けられた継ぎ目１６の上下に夫々棒状ゴム１７をリング状に配置して両者間にシーリング材（特に弾性シーリング材）の充填枠を形成する。
【００２３】
このように構成された充填枠の中に刷毛等を介してプライマ１８を塗布した後にシーリング材１９を肉厚に充填する。シーリング材１９の充填が完了した後で、コテ２０でシーリング材１９の表面を均一にならし、シーリング材１９が固化した後に上下に配置されていた棒状ゴム１７を除去し、マンホール躯体本体７に設けられた継ぎ目１６に止水構造層を構成することが出来る。
【００２４】
前述のように既設マンホール１のマンホール躯体本体７の補強及び止水構造の施工が完了した後で、図１、図５及び図８に示すような特殊の構造を有する斜壁管２１をマンホール躯体本体７の上縁に載置する。
【００２５】
前述の斜壁管２１は図に明らかな如く、その上縁２２の上表面２２ａは巾広（肉厚状）に形成されている。即ち上縁２２の上表面２２ａは、通常の斜壁管の上縁の上表面の巾（約１１０ｍｍ）の約２倍の２００ｍｍに形成されている。
【００２６】
本発明に使用される斜壁管２１に於ては、上縁２２の上表面２２ａの巾を大きくしたので、図７（ａ）、（ｂ）、（ｃ）に示す如き、外径寸法の異なるマンホール用の蓋受枠２３、２４、２５のいずれも設置することが出来るように構成されている。前記蓋受枠２３の外径は８２０ｍｍ、蓋受枠２４の外径は９００ｍｍ、蓋受枠２５の外径は１，０００ｍｍである。
【００２７】
前記蓋受枠２３、２４、２５には、孔、切溝等よりなるボルト挿通部２６が任意の場所に複数個づつ設けられている。図で明らかな如く、これ等のボルト挿通部２６は、蓋受枠２３、２４に於ては、夫々６個所に設けられており、蓋受枠２５に於ては４個所に設けられている。また、これ等の蓋受枠２３、２４、２５には夫々鉄蓋２３ａ、２４ａ、２５ａが開閉自在に被蓋されている。
【００２８】
本発明に使用される斜壁管２１の上縁２２の上表面２２ａには、前述の蓋受枠２３、２４、２５の夫々のボルト挿通部２６に対応して、特に図５に示す如く、インサートアンカー２７が内側から外側に向って３重に、かつ一つの円周上に１２個が夫々配列されるように埋設されている。
【００２９】
前述のように、上縁２２の上表面２２ａに、内側から外側に向けて３重に各１２個づつインサートアンカー２７を同心円状に埋設した場合には、前述の蓋受枠２３、２４、２５のボルト挿通部２６をいずれかのインサートアンカー２７に合致させることが出来る。
【００３０】
従って、別に用意したボルトを用いて、該ボルト挿通部２６にボルト２８を挿通すると共に、このボルト２８の先端部をインサートアンカー２７の中心部に設けられたネジ孔に螺合させることによって、蓋受枠２３、２４、２５のいずれかを斜壁管２１に強固に取付固定することが出来る。
【００３１】
前述の実施例に於ては、斜壁管２１の上縁２２の上表面２２ａに、インサートアンカー２７を内側から外側に向けて３重に埋設したが、これ等のインサートアンカー２７は、既存の蓋受枠の径及びボルト挿通部２６に対応して多重に、かつ所望の位置に予め埋設しておくことが出来る。
【００３２】
また、本発明に使用される斜壁管２１の下部内側の下縁には、特に図５（ａ）に明らかな如く、所定巾の止水用溝２９が設けられている。図中３０は斜壁管２１の内周壁に取付けられたステップである。また、斜壁管２１の下部内周壁には４個のインサートアンカー３２が埋設されている。
【００３３】
さらに、本発明に使用される斜壁管２１の下部外周壁の所定位置には、特に図５（ａ）によって明らかな如く、ほぼ垂直状の直線部３１が設けられており、これによって斜壁管２１の下部を肉薄にすると共に、その外径を小さくし、斜壁管２１の全体の重量を軽くしている。
【００３４】
次に、図１に示す如く、マンホール躯体本体７上に前記斜壁管２１を設置し、この斜壁管２１を該斜壁管２１の下部内壁に設けられたインサートアンカー３２を利用して、緊結プレート１３及び緊結ボルト１４によってマンホール躯体本体７に取付固定する。続いて斜壁管２１の上縁２２上に、今迄除去されていた蓋受枠２５（或は蓋受枠２３）を載置し、両者をボルト２８で強固に結合させた後で、マンホールの上部の周りに舗装３３を埋戻すことによって、改修を完了させることが出来る。前述のように施工の途中でマンホール躯体本体７内に取付けられた落下防止用ネット１１及び踊場１２は、必要に応じて作業工程の途中或は完了後に撤去する。
【００３５】
前記斜壁管２１をマンホール躯体本体７に水密状態に設置する場合には、特に図８（ａ）、（ｂ）に示す如く、マンホール躯体本体７の上縁上表面に敷モルタル３４を施した上に斜壁管２１の下縁を当接し、さらに斜壁管２１の止水用溝２９とマンホール躯体本体７の上縁上表面とによって形成される隙間にはシーリング材３５を充填し、かつ斜壁管２１の外周壁に設けられた直線部３１とマンホール躯体本体７の上表面とによって形成される段部にはモルタル３６を塗着することによって、斜壁管２１とマンホール躯体本体７との接合部を止水状態に保つことが出来る。図中３７は高さ調節用のスペーサーである。
【００３６】
【発明の効果】
本発明に係る既設マンホールの改修施工法に於ては、既設マンホールの上部の周りの舗装を切除して斜壁管及び蓋受枠を夫々撤去し、その後に上縁上表面にインサートアンカーが設けられている新しい斜壁管を設置したので、該斜壁管上に載置された一旦撤去されていた蓋受枠は、前記インサートアンカーを利用することによって、ボルトを介して前記斜壁管に強固に締結することが出来る効果があり、これによって蓋受枠及びこの蓋受枠に被蓋された鉄蓋が浮上或は飛散することを防止出来る効果を有している。
【００３７】
本発明に係る既設マンホールの改修施工法に於て、前述の如く、上縁上表面に複数のインサートアンカーが内側から外側に向けて埋設された特定の構造を持った斜壁管を用いて施工する場合には、既設のマンホールに使用されていた蓋受枠の外径寸法が異なったり或はボルト孔の位置が異なっていた場合にも、単種類の斜壁管で対応させて、これ等の異なる種類の蓋受枠を夫々斜壁管に強固にボルト止めすることが出来る効果を有している。
【００３８】
本発明に係る既設マンホールの改修施工法に於て、前記斜壁管の下部内壁に複数のインサートアンカーを埋設した場合には、このインサートアンカーを使用することによって、斜壁管を既設のマンホール躯体本体に緊結することが出来る効果がある。また、この緊結の際に、傾斜長穴を有する緊結プレートを使用した場合には、斜壁管をマンホール躯体本体により密着せしめた状態で緊結固定することが出来る効果を有している。
【００３９】
本発明に係る既設マンホールの改修施工法に於て、既設マンホールの各コンクリート管の内周面に設けられた継ぎ目の上下に夫々棒状ゴムをリング状に配置した場合には、棒状ゴムで枠を形成することが出来る効果がある。そしてこの枠内にプライマとシーリング材とを順に塗布した場合には、継ぎ目上に肉厚の止水帯を形成することが出来る効果があり、これによってマンホール躯体本体の漏水を防止することが出来る効果を有している。
【図面の簡単な説明】
【図１】本発明に係る改修施工法を完了した後のマンホール要部の縦断面図である。
【図２】既設のマンホールの斜壁管、蓋受枠及び鉄蓋を撤去する状態の縦断面図である。
【図３】マンホール躯体本体内に落下防止用ネットと作業用踊場を設ける状態の説明図である。
【図４】マンホール躯体本体内の直壁管の継ぎ目を止水構造にする状態説明図である。
【図５】本発明の施工法に使用される斜壁管の説明図である。
【図６】既設マンホールに使用されている蓋受枠と鉄蓋との数例を示す平面図である。
【図７】図５の斜壁管に種類の異なる蓋受枠をボルト止めした状態の断面説明図である。
【図８】マンホール躯体本体と斜壁管との接合状態を示す要部の説明図である。
【符号の説明】
１　　　…既設マンホール
２　　　…舗装
３　　　…斜壁管
４　　　…蓋受枠
５　　　…鉄蓋
６　　　…クレーン
７　　　…マンホール躯体本体
８　　　…ハンマードリル
９　　　…穴
１０　　…アンカー
１１　　…落下防止用ネット
１２　　…踊場
１３　　…緊結プレート
１４　　…緊結ボルト
１５　　…傾斜長穴
１６　　…継ぎ目
１７　　…棒状ゴム
１８　　…プライマ
１９　　…シーリング材
２０　　…コテ
２１　　…斜壁管
２２　　…上縁
２２ａ　…上表面
２３　　…蓋受枠
２３ａ　…鉄蓋
２４　　…蓋受枠
２４ａ　…鉄蓋
２５　　…蓋受枠
２５ａ　…鉄蓋
２６　　…ボルト挿通部
２７　　…インサートアンカー
２８　　…ボルト
２９　　…止水用溝
３０　　…ステップ
３１　　…直線部
３２　　…インサートアンカー
３３　　…舗装
３４　　…敷モルタル
３５　　…シーリング材
３６　　…モルタル
３７　　…スペーサー
【図１】
2004143792.tif 000003
【図２】
2004143792.tif 000004
【図３】
2004143792.tif 000005
【図４】
2004143792.tif 000006
【図５】
2004143792.tif 000007
【図６】
2004143792.tif 000008
【図７】
2004143792.tif 000009
【図８】
2004143792.tif 000010